(57)【要約】【課題】高齢者に対して文字や観察対象物の色の彩度が低下して見えることを抑制するとともに、広範囲に明るい光を照射することができる照明装置を提供する。【解決手段】照明装置１０は、複数の第一発光素子５１、７１および複数の第二発光素子５２、７２と、制御回路１２とを備える。複数の第一発光素子５１、７１および複数の第二発光素子５２、７２は、所定の領域Ｅ内に分散して配置される。複数の第一発光素子５１、７１は、所定の領域Ｅにおける中央部分よりも周縁部分の方が密に配置される。複数の第二発光素子５２、７２は、所定の領域Ｅにおける周縁部分よりも中央部分の方が密に配置される。【選択図】図５
2018120769.tif 000002
【特許請求の範囲】
【請求項１】
同一色度範囲内の色度値を有する複数の第一発光素子および複数の第二発光素子と、
前記複数の第一発光素子および前記複数の第二発光素子を個別に制御可能な制御回路とを備え、
前記複数の第一発光素子および前記複数の第二発光素子は、所定の領域内に分散して配置され、
前記複数の第一発光素子は、前記所定の領域における中央部分よりも周縁部分の方が密に配置され、
前記複数の第二発光素子は、前記所定の領域における前記周縁部分よりも前記中央部分の方が密に配置される
照明装置。
【請求項２】
前記制御回路は、
前記複数の第一発光素子および前記複数の第二発光素子を個別に制御可能なモード切替部を有し、
前記第一発光素子を点灯させる第一モードと、前記第一発光素子および前記第二発光素子を点灯させる第二モードとを選択的に実行させ、
前記第一モードで点灯した場合よりも、前記第二モードで点灯した場合の方が明るく点灯させ、
前記モード切替部は、前記第一モードと前記第二モードとを切換える
請求項１に記載の照明装置。
【請求項３】
前記制御回路は、前記第二モードにおいて、前記第一モードの場合よりも前記所定の領域における前記周縁部分に配置されている前記第一発光素子の出力を減少させ、前記所定の領域における前記中央部分に配置されている前記第二発光素子の出力を増加させる
請求項２に記載の照明装置。
【請求項４】
前記第一発光素子と前記第二発光素子とが発した光の合成光の相関色温度は、５５００Ｋ以上７１００Ｋ以下である
請求項１〜３のいずれか１項に記載の照明装置。
【請求項５】
さらに、相関色温度が２６００Ｋ以上５５００Ｋ以下となる複数の第三発光素子を備える
請求項４に記載の照明装置。
【請求項６】
前記複数の第三発光素子は、
前記所定の領域内に分散して配置され、
前記所定の領域における前記中央部分よりも前記周縁部分の方が密に配置されている
請求項５に記載の照明装置。
【請求項７】
さらに、前記複数の第一発光素子、前記複数の第二発光素子および前記複数の第三発光素子の各々に対向配置されるレンズを備え、
前記所定の領域における前記中央部分に配置されている前記レンズは、前記所定の領域における前記周縁部分に配置されている前記レンズよりも外径が小さい
請求項５又は６に記載の照明装置。
【請求項８】
前記所定の領域における前記中央部分に配置されている前記レンズの拡散率は、前記所定の領域における前記周縁部分に配置されている前記レンズの拡散率よりも小さい
請求項７に記載の照明装置。
【請求項９】
前記中央部分は環状をなしており、
前記周縁部分は、環状をなして、前記中央部分の外周側に位置し、
前記中央部分の内径から外径までの幅と、前記周縁部分の内径から外径までの幅との比が１対１から１対２までである
請求項１〜８のいずれか１項に記載の照明装置。
【発明の詳細な説明】
【技術分野】
【０００１】
本発明は、照明装置に関し、特に加齢に伴う視機能変化を補正するための照明装置に関する。
【背景技術】
【０００２】
高齢化社会の到来により高齢者（中年期以降の世代とする。）にとって快適な環境の構築が強く求められている。その中でも照明による視環境の整備は急務である。このため、加齢による人間の視覚系の変化をどのように照明で補正するかを明確にする必要がある。加齢による主な視機能変化としては、（ａ）水晶体の透過率の低下、特に短波長域での透過率の低下と、（ｂ）白内障（水晶体の白濁化）による視界のかすみ（眼球内散乱）などがある。
【０００３】
（ａ）に関しては、特許文献１に記載されるように、水晶体透過率が低下する波長域の光を増強、いわゆる高色温度にすることにより、網膜上に青色光の到達率を高める照明が高齢者用として推奨されている。
【０００４】
また、（ｂ）も考慮するべく、特許文献２に記載されるように、青色光の成分を増強させる方式もある。特許文献２では、主に眩しさ感への影響が強い波長域（４７０ｎｍ以上、５３０ｎｍ以下）を低減することにより、眩しさを抑えてコントラスト感度、明度および彩度を高く感じる効果を付加した照明が推奨されている。
【０００５】
同様に、（ｂ）を考慮するべく、特許文献３に記載されるように、周辺光による眼球内散乱を低下させるために、可変色ウォールの調整をする方式もある。
【先行技術文献】
【特許文献】
【０００６】
【特許文献１】特開２００３−２３７４６４号公報
【特許文献２】特開平４−１３７３０５号公報
【特許文献３】特開２００５−３０２５００号公報
【発明の概要】
【発明が解決しようとする課題】
【０００７】
ここで、高齢者が視作業をするために必要な明るさは若年齢者の２〜５倍とも言われているため、高齢者に眩しさを感じさせること無く、かつ、色の鮮やかさを高く感じさせることができる照明装置が求められている。
【０００８】
また、高齢者が視作業を行う領域の周辺の領域では、広範囲に明るい光を照射することができる照明装置も求められている。
【０００９】
そこで、本発明は、高齢者に対して文字や観察対象物の色の彩度が低下して見えることを抑制するとともに、広範囲に明るい光を照射することができる照明装置を提供することを目的とする。
【課題を解決するための手段】
【００１０】
上記目的を達成するため、本発明の一態様に係る照明装置は、同一色度範囲内の色度値を有する複数の第一発光素子および複数の第二発光素子と、前記複数の第一発光素子および前記複数の第二発光素子を個別に制御可能な制御回路とを備え、前記複数の第一発光素子および前記複数の第二発光素子は、所定の領域内に分散して配置され、前記複数の第一発光素子は、前記所定の領域における中央部分よりも周縁部分の方が密に配置され、前記複数の第二発光素子は、前記所定の領域における前記周縁部分よりも前記中央部分の方が密に配置される。
【発明の効果】
【００１１】
本発明によれば、高齢者に対して文字や観察対象物の色の彩度が低下して見えることを抑制するとともに、広範囲に明るい光を照射することができる。
【図面の簡単な説明】
【００１２】
【図１】図１は、実施の形態に係る照明装置を示す斜視図である。
【図２】図２は、実施の形態に係る照明装置を示す分解斜視図である。
【図３】図３は、図２のＩＩＩ−ＩＩＩ線における実施の形態に係る照明装置を示す断面図である。
【図４】図４は、実施の形態に係る第一発光素子および第二発光素子のそれぞれの分光特性の一例を示すグラフである。
【図５】図５は、実施の形態に係る第一発光素子、第二発光素子および第三発光素子の配置レイアウトの一例を示す模式図である。
【図６】図６は、実施の形態に係る照明装置を示すブロック図である。
【図７】図７は、実施の形態に係る第一発光素子および第二発光素子の個数比を変更し、各個数比における合成光の分光分布を示すグラフである。
【図８】図８は、実施の形態に係る各個数比の分光分布であって、第二値での相対強度を１とした場合の、第一値および第三値での相対強度比を示すグラフである。
【図９】図９は、実施の形態に係る第一発光素子、第二発光素子および第三発光素子の各個数比における照明装置全体の各光特性を示す表である。
【図１０】図１０は、図９における効率比率およびＦＣＩ比率と、第一発光素子および第二発光素子の個数比との関係を示すグラフである。
【図１１】図１１の（ａ）は、色味を評価する際に標準光源として用いられるＤ６５光源の分光分布を示すグラフである。図１１の（ｂ）は、壮年期の観察者の分光透過率から、高齢者の観察者の分光透過率を差し引いた差分からなる高齢者フィルタを示すグラフである。図１１の（ｃ）は、図１１の（ａ）の分光分布に、図１１の（ｂ）の高齢者フィルタをかけることで得られた分光分布を示すグラフである。
【図１２】図１２は、図１１におけるＤ６５光源の色度座標と、Ｄ６５光源に高齢者フィルタをかけた場合の色度座標とを出力した色度座標グラフである。
【図１３】図１３は、検証実験の混色に用いた第三発光素子と、ＴＥＳＴ１〜３との各光特性を一覧で示す表である。
【図１４】図１４は、検証実験により求めた彩度差分と、各ＴＥＳＴ１〜３との関係を、中年期の観察者、壮年期の観察者毎に示すグラフである。
【図１５】図１５は、検証実験により求めた中年期の観察者における４色相ごとの彩度差分と、各ＴＥＳＴ１〜３との関係を示すグラフである。
【図１６】図１６は、実験により求めたコントラスト感度における正答数と年代と関係を示すグラフである。
【図１７】図１７の（ａ）は、第一モードにおける照明装置の配光図であり、図１７の（ｂ）は、第二モードにおける照明装置の配光図である。
【発明を実施するための形態】
【００１３】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１４】
また、「略＊＊」との記載は、「略同一」を例に挙げて説明すると、全く同一はもとより、実質的に同一と認められるものを含む意図である。また、「＊＊近傍」においても同様である。
【００１５】
なお、各図は、模式図であり、必ずしも厳密に図示されたものではない。また、各図において、実質的に同一の構成に対しては同一の符号を付しており、重複する説明は省略又は簡略化する。
【００１６】
以下、本発明の実施の形態に係る照明装置について説明する。
【００１７】
（実施の形態）
［構成］
まず、本実施の形態に係る照明装置１０の構成について図１〜図３を用いて説明する。
【００１８】
図１は、本実施の形態に係る照明装置１０を示す斜視図である。図２は、本実施の形態に係る照明装置１０を示す分解斜視図である。図３は、図２のＩＩＩ−ＩＩＩ線における本実施の形態に係る照明装置１０を示す断面図である。
【００１９】
図１および図２に示すように、照明装置１０は、器具本体２０と、カバー３０と、発光部４０とを備えている。照明装置１０は、例えば住宅などの建物の天井に設けられている引っ掛けシーリングボディ１に対して着脱自在に取り付けられる。
【００２０】
器具本体２０は、カバー３０と、発光部４０とを支持するための筐体である。器具本体２０は、中央部に円形状の開口部２１を有するリング状に形成されている。この開口部２１を介して引っ掛けシーリングボディ１が発光部４０と接続される。
【００２１】
なお、器具本体２０は、例えばアルミニウム板又は鋼板などの板金をプレス加工することによって上述した形状に成形される。器具本体２０の一方側の面である内面（床面側の面）には、反射性を高めて光取り出し効率を向上させるために、白色塗料が塗布、又は、反射性金属材料が蒸着されている。
【００２２】
カバー３０は、器具本体２０の内面全体を覆うための外カバーであり、器具本体２０に着脱自在に取り付けられている。すなわち、発光部４０は、カバー３０の内側に配置されている。カバー３０は、円形状のドーム状に形成されている。カバー３０は、透光性を有する樹脂材料、例えばアクリル（ＰＭＭＡ）、ポリカーボネート（ＰＣ）、ポリエチレンテレフタレート（ＰＥＴ）又はポリ塩化ビニル（ＰＶＣ）などで形成されている。これにより、発光部４０からカバー３０の内面に向けて出射した光は、カバー３０を透過してカバー３０の外部に取り出される。なお、カバー３０を例えば乳白色の樹脂材料で形成することにより、カバー３０に光拡散性を持たせてもよい。
【００２３】
発光部４０は、例えば白色光を発するための光源である。具体的には、発光部４０は、基板４１と、基板４１の実装面（床側の面）に実装された複数の発光素子５０と、複数の発光素子５７とを有する。
【００２４】
基板４１は、複数の発光素子５０を実装するためのプリント配線基板であり、中央に円形状の開口部４２を有するリング状に形成されている。基板４１には、複数の発光素子５０を実装するための、配線パターン（図示省略）が形成されている。複数の発光素子５０は、基板４１における所定の領域Ｅ内の周縁部分Ｅ２に配置（実装）されている。配線パターンは、複数の発光素子５０と、回路部（定電力出力回路１１および制御回路１２など：図６参照）とを電気的に接続することにより、回路部からの直流電流を複数の発光素子５０の各々に供給するための配線パターンである。複数の発光素子５０は、基板４１に対して多重のリング状となるように配列されている。
【００２５】
また、発光部４０は、基板４１の開口部４２側に実装された複数の発光素子７０を有する。複数の発光素子７０は、基板４１における所定の領域Ｅ内の中央部分Ｅ１に配置（実装）されている。中央部分Ｅ１は、周縁部分Ｅ２とは異なる部分であり、周縁部分Ｅ２の内周側の部分である。本実施の形態では、器具本体２０の開口部２１の周囲を囲むように発光部４０が配置されている。なお、発光部４０の配置数については特に限定されない。
【００２６】
複数の発光素子５０、７０の各々は、例えば、パッケージ化された表面実装（ＳＭＤ：Ｓｕｒｆａｃｅ  Ｍｏｕｎｔ  Ｄｅｖｉｃｅ）型の白色ＬＥＤ素子である。なお、基板４１上にＬＥＤチップが直接的に実装されたＣＯＢ（Ｃｈｉｐ  Ｏｎ  Ｂｏａｒｄ）型のモジュールが用いられてもよい。
【００２７】
図３に示すように、周縁部分Ｅ２の発光部４０は、発光素子５０および基板４１の他に、レンズ５０ｄを備える。レンズ５０ｄは、発光素子５０の光軸とレンズ５０ｄの軸心とが略一致するように、発光素子５０の上に積層されている。レンズ５０ｄの外径は、Ｌ２である。
【００２８】
また、中央部分Ｅ１の発光部４０は、発光素子７０および基板４１の他に、レンズ７０ｄを備える。レンズ７０ｄの外径は、Ｌ１であり、レンズ７０ｄの外径Ｌ２よりも小さい。各々のレンズ５０ｄおよび各々のレンズ７０ｄは、隣接する他のレンズ５０ｄ、７０ｄと繋がっており、全体で１つのレンズ体を構成している。レンズ体が複数の発光素子５０、７０を覆っている。他の構成においては、発光素子５０は、発光素子７０と同様の構成であるため、その説明を省略する。このため、レンズ５０ｄ、７０ｄにおいても同様であるため、その説明を省略する。
【００２９】
第一発光素子７１および第二発光素子７２が有するレンズ７０ｄは、基板４１の第一発光素子５１および第二発光素子５２が有するレンズ５０ｄよりも外径が小さい。このため、中央部分Ｅ１の第一発光素子７１および第二発光素子７２は、周縁部分Ｅ２の第一発光素子５１および第二発光素子５２よりも、高密度で配置されている。
【００３０】
所定の領域Ｅにおける中央部分Ｅ１に配置されているレンズ７０ｄの拡散率は、所定の領域Ｅにおける周縁部分Ｅ２に配置されているレンズ５０ｄの拡散率よりも小さい。つまり、中央部分Ｅ１からは周縁部分Ｅ２よりも強度の強い光が出射されるため、照明装置１０の直下およびその近傍に強度の強い光が照射される。
【００３１】
レンズ５０ｄ、７０ｄは、アクリル、ＰＥＴ（Ｐｏｌｙ  Ｅｔｈｙｌｅｎｅ  Ｔｅｒｅｐｈｔｈａｌａｔｅ）等の樹脂材料、又はガラスを基材としている。レンズ５０ｄ、７０ｄは、光拡散材が内部に分散された乳白色のレンズであってもよい。このようなレンズ５０ｄ、７０ｄは、光拡散材を混合した透光性樹脂材料を所定形状に樹脂成型することによって作製してもよい。光拡散材としては、シリカ粒子等の光反射性微粒子を用いてもよい。
【００３２】
また、レンズ５０ｄ、７０ｄとしては、内部に光拡散材を分散させるのではなく、レンズ５０ｄ、７０ｄの表面（内面又は外面）に光拡散材等を含む乳白色の光拡散膜を形成することによって構成されていてもよい。なお、レンズ７０ｄにおいては、このような光拡散材を分散等させていなくてもよい。
【００３３】
複数の発光素子５０は、複数の第一発光素子５１、複数の第二発光素子５２および複数の第三発光素子５３を含んでいる。また、複数の発光素子７０は、複数の第一発光素子７１および複数の第二発光素子７２を含んでいる。複数の第一発光素子５１、７１複数の第二発光素子５２、７２の各々には、レンズ５０ｄ、７０ｄが対向配置されている。また、複数の第三発光素子５３の各々には、レンズ５０ｄが対向配置されている。なお、第一発光素子５１および第一発光素子７１と、第二発光素子５２および第二発光素子７２とは、実質的に同一の発光素子である。
【００３４】
複数の発光素子５０および複数の発光素子７０は、所定の領域Ｅ内に分散して配置されている。つまり、複数の第一発光素子５１、７１、複数の第二発光素子５２、７２および複数の第三発光素子５３は、所定の領域Ｅ内に分散して配置されている。具体的には、複数の第一発光素子５１、複数の第二発光素子５２および複数の第三発光素子５３が所定の領域Ｅ内の周縁部分Ｅ２に配置され、複数の第一発光素子７１および複数の第二発光素子７２が所定の領域Ｅ内の中央部分Ｅ１に配置されている。
【００３５】
複数の第一発光素子５１、７１は、所定の領域Ｅにおける中央部分Ｅ１よりも周縁部分Ｅ２の方が密に配置されている。また、複数の第二発光素子５２、７２は、所定の領域Ｅにおける周縁部分Ｅ２よりも中央部分Ｅ１の方が密に配置されている。さらに、複数の第三発光素子５３は、所定の領域Ｅにおける中央部分Ｅ１よりも周縁部分Ｅ２の方が密に配置されている。
【００３６】
本実施の形態では、所定の領域Ｅ内の中央部分Ｅ１が基板４１の開口部４２側の領域であり、所定の領域内の周縁部分Ｅ２が基板４１の周縁側の領域であり、中央部分Ｅ１の外周側の領域である。なお、中央部分Ｅ１の基板と周縁部分Ｅ２の基板とを別々の基板に分離していてもよい。
【００３７】
第一発光素子５１、７１および第二発光素子５２、７２は、同一色度範囲内の色度値を有する発光素子である。ここで、「同一色度範囲」とは、ＪＩＳ  Ｚ９１１２−２０１２『蛍光ランプ・ＬＥＤの光源色および演色性による区分』で規格化されている各光源色（昼光色、昼白色、白色、温白色、電球色）の色度範囲である。例えば、第一発光素子５１、７１が昼光色の色度範囲に収まっている発光素子であれば、第二発光素子５２、７２も昼光色の色度範囲に収まっている発光素子となる。
【００３８】
第一発光素子５１、７１および第二発光素子５２、７２における合成光の相関色温度は、５５００Ｋ以上７１００Ｋ以下である。特に、第一発光素子５１、７１および第二発光素子５２、７２における合成光の相関色温度は、５８００Ｋ以上であることが好ましい。
【００３９】
第三発光素子５３における相関色温度は、２６００Ｋ以上５５００Ｋ以下である。第三発光素子５３は、第一発光素子５１、７１および第二発光素子５２、７２のそれぞれの色温度よりも低色温度となっている。
【００４０】
次に、第一発光素子５１、７１および第二発光素子５２、７２の分光特性について、図４を用いて説明する。
【００４１】
図４は、本実施の形態に係る第一発光素子５１、７１および第二発光素子５２、７２のそれぞれの分光特性の一例を示すグラフである。
【００４２】
図４に示すように、第一発光素子５１、７１は、４２５ｎｍ以上４８０ｎｍ以下の範囲に第一のピーク波長と、５００ｎｍ以上５６０ｎｍ以下の範囲に第二のピーク波長とを含む分光分布となる発光素子である。第二発光素子５２、７２は、４２５ｎｍ以上４８０ｎｍ以下の範囲に第一のピーク波長と、５００ｎｍ以上５６０ｎｍ以下の範囲に第二のピーク波長と、５８０ｎｍ以上６５０ｎｍ以下の範囲に第三のピーク波長とを含む分光分布を有する発光素子である。
【００４３】
第一発光素子５１、７１および第二発光素子５２、７２を比較すると、第一発光素子５１、７１の方が第二発光素子５２、７２よりも発光効率を重視した分光特性となっている。また、第二発光素子５２、７２の方が第一発光素子５１、７１よりも演色性を重視した分光特性となっている。
【００４４】
ここで、図４において、第二発光素子５２、７２の分光特性における第二のピーク波長での極大値を第二値Ｘ２とし、第二値Ｘ２よりも負側の極小値を第一値Ｘ１とし、第二値Ｘ２よりも正側の極小値を第三値Ｘ３とする。この図４の例では、第一値Ｘ１は４８０ｎｍであり、第二値Ｘ２は５２０ｎｍであり、第三値Ｘ３は５７０ｎｍである。
【００４５】
次に、第一発光素子５１、７１、第二発光素子５２、７２および第三発光素子５３の配置レイアウトについて、図５を用いて説明する。
【００４６】
図５は、本実施の形態に係る第一発光素子５１、７１、第二発光素子５２、７２および第三発光素子５３の配置レイアウトの一例を示す模式図である。このため、図５は模式図であるため、必ずしも図２と整合している訳ではない。なお、第一発光素子５１、７１、第二発光素子５２、７２および第三発光素子５３のレイアウトは任意に変えることができてもよく、図５のレイアウトに限定されない。
【００４７】
図５に示すように、基板４１の周縁部分Ｅ２には、１４個の第一発光素子５１と、２２個の第二発光素子５２、７２と、１２個の第三発光素子５３とが実装されている。第一発光素子５１、第二発光素子５２および第三発光素子５３が所定の規則で基板４１に配列されている。また、基板４１の中央部分Ｅ１には、４個の第一発光素子７１と、２０個の第二発光素子７２とが実装されている。
【００４８】
つまり、第一発光素子５１、７１、第二発光素子５２、７２および第三発光素子５３を発光部４０内の一箇所に固めて設置するのではなく、分散して配置している。
【００４９】
また、中央部分Ｅ１および周縁部分Ｅ２はともに環状をなしているが、中央部分Ｅ１と周縁部分Ｅ２とは以下のように定義されていてもよい。具体的には、中央部分Ｅ１の内径から外径までの幅Ｄ１と、周縁部分Ｅ２の内径から外径までの幅Ｄ２との比が１対１から１対２までである。本実施の形態では、図５に示すように、Ｄ１対Ｄ２が１対２に設定されている。
【００５０】
次に、照明装置１０のブロック図について、図６を用いて説明する。
【００５１】
図６は、本実施の形態に係る照明装置１０を示すブロック図である。
【００５２】
図６に示すように、第一発光モジュール６１は複数の第一発光素子５１、７１から構成されており、第二発光モジュール６２は複数の第二発光素子５２、７２から構成されており、第三発光モジュール６３は複数の第三発光素子５３から構成されている。そして、第一発光モジュール６１と、第二発光モジュール６２と第三発光モジュール６３とは異なる系統で、定電力出力回路１１に電気的に接続されている。これにより、第一発光モジュール６１、第二発光モジュール６２および第三発光モジュール６３をそれぞれ異なる電流値で制御することができる。これにより、複数の第一発光素子５１、７１と、複数の第二発光素子５２、７２と複数の第三発光素子５３との発光比率を調整することが可能となる。
【００５３】
照明装置１０は、定電力出力回路１１と、制御回路１２とを備えている。
【００５４】
定電力出力回路１１は、各発光素子５０に対して定電力を付与するための回路である。
【００５５】
制御回路１２は、例えば、図示しない点灯スイッチがＯＮされたことにより、点灯用の外部信号（後述する外部信号１）が入力されると、定電力出力回路１１を制御して、各発光素子５０を点灯する回路である。
【００５６】
制御回路１２には、２つの外部信号が入力される。一方の外部信号（外部信号１）を点灯用の信号として、他方の外部信号（外部信号２）を観察者の年齢又は年代を示す情報を含んだ信号とする。他方の外部信号を制御回路１２に入力（設定）する設定部１３は、ユーザから年齢又は年代が入力されると、当該年齢又は年代を示す情報を含んだ外部信号を作成し制御回路１２に入力する。なお、ユーザが直接年齢を入力するのではなく、カメラセンサで自動的にユーザの年齢を検知することにより年齢が入力されてもよい。
【００５７】
制御回路１２は、複数の第一発光素子５１、７１および複数の第二発光素子５２、７２を個別に制御可能なモード切替部１４を有する。なお、本実施の形態では、モード切替部１４が制御回路１２内に設けられているが、制御回路１２とは別体であってもよい。
【００５８】
モード切替部１４は、例えばユーザの年齢又は年代を示す情報を含んだ信号を設定部１３から受信すると、ユーザの年齢又は年代に応じて、後述する第一モードと第二モードとを切換える。制御回路１２は、第一発光素子５１、７１を点灯させる第一モードと、第一発光素子５１、７１および第二発光素子５２、７２を点灯させる第二モードとを選択的に実行させる。第一モードおよび第二モードを総称してモードと呼ぶ。
【００５９】
第一モードは、一般的な照明がされる通常の点灯を行うモードである。第二モードは、高齢者に対して色知覚確率を高めることが可能な点灯であり、第一モードに比べ、文字の読みやすさを高めつつ、忠実に色を再現するモードである。制御回路１２は、第一モードで点灯した場合よりも、第二モードで点灯した場合の方が明るく点灯させる。ここで、明るさは、照度に限定されず、光束をも意味する。
【００６０】
制御回路１２は、第二モードにおいて、第一モードの場合よりも所定の領域Ｅにおける周縁部分Ｅ２に配置されている第一発光素子５１、７１の出力を減少させ、所定の領域Ｅにおける中央部分Ｅ１に配置されている第二発光素子５２、７２の出力を増加させる。
【００６１】
モード切替部１４が第一モードに切換えた場合、制御回路１２は、主に第一発光素子５１、７１を点灯させる。また、モード切替部１４が第二モードに切換えた場合、制御回路１２は、少なくとも第一発光素子５１、７１および第二発光素子５２、７２を点灯させる。なお、第一モードでは、第一発光素子５１、７１の他に、第二発光素子５２、７２、第三発光素子５３が点灯していてもよい。但し、制御回路１２は、第二発光素子５２、７２および第三発光素子５３が第一モードで点灯させる場合よりも、第二発光素子５２、７２および第三発光素子５３が第二モードで点灯させる場合の方が明るく点灯させるように制御する。なお、第一モードでは、第一発光素子５１、７１、第三発光素子５３のいずれかのみが点灯していてもよい。
【００６２】
複数の発光素子５０は、複数組に組分けされており、各組の発光素子５０のそれぞれが異なる系統で、定電力出力回路１１に電気的に接続されている。第一発光素子５１、７１とからなる組が４組設けられ、第二発光素子５２、７２とからなる組が４組設けられ、第三発光素子５３とからなる組が４組設けられている。そして、第一発光素子５１、７１、第二発光素子５２、７２および第三発光素子５３の各組は、直列に電気的に接続されている。
【００６３】
これにより、制御回路１２は、定電力出力回路１１を制御することによって、第一発光素子５１、７１、第二発光素子５２、７２および第三発光素子５３を異なる電流値で制御する。したがって、照明装置１０全体の光色を調整する。
【００６４】
なお、照明装置１０全体の光色を調整しない場合は、所定の光色となる組み合わせでの第一発光素子５１、７１と、第二発光素子５２、７２と、第三発光素子５３とが同一回路に配置され、これらを同一電流値で制御してもよい。
【００６５】
［合成光］
次に、第一発光素子５１、７１および第二発光素子５２、７２がそれぞれ発した光の合成光について説明する。
【００６６】
図７は、本実施の形態に係る第一発光素子５１、７１および第二発光素子５２、７２の個数比を変更し、各個数比における合成光の分光分布を示すグラフである。図７は、第二モードでの、各個数比における合成光の分光分布（波長と相対強度との関係）を示す。
【００６７】
図７では、第一発光素子５１、７１と第二発光素子５２、７２との個数比が、２：１の場合、１：１の場合、１：２の場合、１：３の場合、１：４の場合および１：５の場合の各合成光の分光分布を示している。
【００６８】
次に、この結果を基に、各個数比の分光分布であって、第二値Ｘ２での相対強度を１とした場合の、第一値Ｘ１および第三値Ｘ３それぞれでの相対強度の比率（相対強度比）を求めた。
【００６９】
図８は、本実施の形態に係る各個数比の分光分布であって、第二値Ｘ２での相対強度を１とした場合の、第一値Ｘ１および第三値Ｘ３での相対強度比を示すグラフである。
【００７０】
図８に示すように、いずれの分光分布においても、第一値Ｘ１での相対強度比は大きく変動していないが、第二発光素子５２、７２の個数割合が高くなるほど第三値Ｘ３での相対強度比が低くなっていることが分かる。
【００７１】
また、第一発光素子５１、７１と第二発光素子５２、７２との個数比における第二発光素子５２、７２の個数割合が、第一発光素子５１、７１と第二発光素子５２、７２との個数比２：１の場合と同等以上であるときには、第二値Ｘ２での相対強度を１とした場合の第三値Ｘ３の相対強度比は、いずれの場合も０．８５以下であることが分かる。すなわち、第一発光素子５１、７１と第二発光素子５２、７２とが発した光の合成光の分光分布は、５００ｎｍ以上５６０ｎｍ以下の範囲の最大値（第二値Ｘ２での相対強度）と、５００ｎｍ以上６５０ｎｍ以下の範囲における最小値（第三値Ｘ３での相対強度）との比が０．８５以下であれば、高齢者の色知覚確率をある程度確保することができる。
【００７２】
図９は、本実施の形態に係る第一発光素子５１、７１、第二発光素子５２、７２および第三発光素子５３の各個数比における照明装置１０全体の各光特性を示す表である。
【００７３】
図９に示すように、照明装置１０全体の各光特性とは、複数の第一発光素子５１、７１、複数の第二発光素子５２、７２および複数の第三発光素子５３のそれぞれが発する光の合成光の各光特性である。図９からも分かるように、第三発光素子５３を除き、いずれの個数比においても、第一発光素子５１、７１および第二発光素子５２、７２における合成光の相関色温度は、５５００Ｋ以上７１００Ｋ以下である。また、第三発光素子５３においても、相関色温度が２６００Ｋ以上５５００Ｋ以下である。
【００７４】
ここで、ＦＣＩ（Ｆｅｅｌｉｎｇ  ｏｆ  Ｃｏｎｔｒａｓｔ  Ｉｎｄｅｘ）は、いわゆる目立ち指数であり、例えば特開平９−１２０７９７号公報等にて提案されている指数である。具体的には、ＦＣＩは、色の見えによる標準光Ｄ６５に対して感じられる明るさ感の比率を示している。図９からも分かるように、いずれの個数比においても、第二モードにおける照明装置１０が照射する光の目立ち指数ＦＣＩが９３以上１２０以下である。ＦＣＩが１２０を超えると違和感を与えるとの報告があるため、ＦＣＩに上限を設けている。
【００７５】
第二モードにおける照明装置１０が照射する光の平均演色評価指数Ｒａは、８６以上１００以下である。平均演色評価指数Ｒａは、忠実な色の再現性を評価する指標であり、ＪＩＳ  Ｚ９１１２「蛍光ランプの光源色および演色性による区分」においてその指標の目安が示されている。より好ましくは、第二モードでは、平均演色評価指数Ｒａが９０以上であることが好ましい。図９からも分かるように、第二モードでは、いずれの個数比においても、平均演色評価指数Ｒａが８６以上１００以下である。
【００７６】
第二モードにおける照明装置１０が照射する光において、Ｔｈｅ  ＣＩＥ  １９９７  Ｉｎｔｅｒｉｍ  Ｃｏｌｏｒ  Ａｐｐｅａｒａｎｃｅ  Ｍｏｄｅｌ（Ｓｉｍｐｌｅ  Ｖｅｒｓｉｏｎ）を用いて求められたクロマ値は、２．０以下である。クロマ値は、視対象物の白さ感を定量的に評価できる指標であり、クロマ値が高いと色みが強く、低いと色みが弱いことを意味し、例えば特開２０１４−７５１８６号公報等にて開示されている指数である。すなわちクロマ値が低いということは白さ感が高いということである。図９からも分かるように、第二モードでは、第一発光素子５１、７１と第二発光素子５２、７２との個数比が１：２よりも第二発光素子５２、７２の個数割合が同等以上となる場合に、クロマ値が２．０以下となった。
【００７７】
図１０は、図９における効率比率およびＦＣＩ比率と、第一発光素子５１、７１および第二発光素子５２、７２の個数割合との関係を示すグラフである。
【００７８】
ここで、効率比率においては、第一発光素子５１、７１のみの場合の発光効率を１００％として、その他の場合の発光効率から相対的に求めている。他方、ＦＣＩ比率においては、第二発光素子５２、７２のみの場合のＦＣＩを１００％として、その他の場合のＦＣＩから相対的に求めている。
【００７９】
ここで、個数割合とは、発光素子５０全体の設置個数に対する、第一発光素子５１、７１の設置個数の割合である。図１０において、例えば、個数割合が「０」の場合から順に見ると、個数割合が「０」では、第二発光素子５２、７２のみが設置される場合であり、効率比率が７５％、ＦＣＩ比率が１００％である。次に、個数比が１：５の場合では、個数割合が「０．１７」、効率比率が７９％、ＦＣＩ比率が９７％である。次に、個数比が１：４の場合では、個数割合が「０．２０」、効率比率が８０％、ＦＣＩ比率が９６％である。次に、個数比が１：３の場合では、個数割合が「０．２５」、効率比率が８１％、ＦＣＩ比率が９５％である。次に、個数比が１：２の場合では、個数割合が「０．３３」、効率比率が８３％、ＦＣＩ比率が９３％である。次に、個数比が１：１の場合では、個数割合が「０．５」、効率比率が８８％、ＦＣＩ比率が９０％である。次に、個数比が２：１の場合では、個数割合が「０．６７」、効率比率が９２％、ＦＣＩ比率が９０％である。個数割合が「１」では、第一発光素子５１、７１のみが設置される場合であり、効率比率が１００％、ＦＣＩ比率が８２％である。
【００８０】
図１１の（ａ）は、色味を評価する際に標準光源として用いられるＤ６５光源の分光分布を示すグラフである。図１１の（ｂ）は、壮年期の観察者の分光透過率から、高齢者の観察者の分光透過率を差し引いた差分からなる高齢者フィルタを示すグラフである。図１１の（ｃ）は、図１１の（ａ）の分光分布に、図１１の（ｂ）の高齢者フィルタをかけることで得られた分光分布を示すグラフである。この図１１の（ｃ）に分光分布によって、壮年期の観察者が認識する光色に対して、高齢者が認識する光色が変化する度合いが推定される。
【００８１】
図１２は、図１１におけるＤ６５光源の色度座標Ａ１と、Ｄ６５光源に高齢者フィルタをかけた場合の色度座標Ａ２とを出力した色度座標グラフである。図１１に示すように、高齢者フィルタをかけることで、観察者が認識する色度座標が色度座標Ａ１から色度座標Ａ２に移動する。そして、色度座標Ａ１と、色度座標Ａ２とを結んだ直線を延長すると、５８２ｎｍ近傍の波長域の色度が高齢者にとっては増加していることが分かる。このため、第一発光素子５１と第二発光素子５２とがそれぞれ発する光の合成光では、５８２ｎｍを含む波長域の相対強度を抑えることで、高齢者は、壮年期の観察者と同じような色度を認識することができる。ここで、５８２ｎｍを含む波長域とは、分光分布において、５００ｎｍ以上６５０ｎｍ以下の範囲で相対強度が最小値となる波長を含む範囲であり、具体的には第三値Ｘ３を含む波長域である。
【００８２】
［検証実験］
本発明者は、観察者による見え方にＦＣＩ比率がどのように影響するか実験にて検証した。
【００８３】
実験の概要は下記となる。
【００８４】
基準光（相関色温度：６２００Ｋ）は、高色温度の高効率形（相関色温度：６３００Ｋ）の第一発光素子５１、７１と、低色温度の高効率形（相関色温度：２４００Ｋ）の発光素子（第三発光素子）とを混合させて調色した。ＴＥＳＴ１〜３の３種の光は、第一発光素子５１、７１と、高色温度の高演色形の第二発光素子５２、７２（相関色温度：６５００Ｋ）との混合比率を変え、さらに第三発光素子５３を加えて約６２００Ｋとなるように調色した。具体的には、ＴＥＳＴ１は、第一発光素子５１、７１のみに対して第三発光素子５３を加えて約６２００Ｋとなるように調光した。ＴＥＳＴ２は、第一発光素子５１、７１：第二発光素子５２、７２＝１：３（個数比）に対して第三発光素子を加えて約６２００Ｋとなるように調光した。ＴＥＳＴ３は第二発光素子５２、７２のみに対して、第三発光素子５３を加えて約６２００Ｋとなるように調光した。
【００８５】
図１３は、検証実験の混色に用いた第三発光素子５３と、ＴＥＳＴ１〜３との各光特性を示す表である。
【００８６】
ここで、人は１０歳ごろをピークに、徐々に視力の調節力が弱まり、４５歳を過ぎると「細かい文字がにじむ」「ぼやける」というような自覚症状が現れる。これが「老視」の始まりである。今回の観察者は、老視が発症しつつある中年期／４６〜６２歳の９名と、老視が発症していない壮年期／２７〜３７歳６名の計１５名とした。
【００８７】
基準光、テスト光はダウンライト１２０φを評価ＢＯＸ（Ｗ３００×Ｄ３００×Ｈ５００［ｍｍ］／内装：壁面Ｎ７、下面Ｎ５）に設置し、基準光とＴＥＳＴ１〜３を併置し、左右の位置を入れ替えて、２回両眼隔壁で実験を実施した。
【００８８】
視対象は一般財団法人日本色彩研究所製、マンセル色票（色相・明度／彩度：５Ｒ４／１４・１３・１２・１１・１０・９、５Ｙ８／１４・１３・１２・１１・１０・９、５Ｇ４／１０・９・８・７・６・５、１０Ｂ４／１０・９・８・７・６・５）とした。
【００８９】
本実験では左右の利き目による影響も考慮するため、基準光下では各色相で２番目の高彩度色票（５Ｒ４／１３、５Ｙ８／１３、５Ｇ４／９、１０Ｂ４／９）を１つ配置し、ＴＥＳＴ１〜３下では各色相で、彩度６水準の色票６つを配置した。
【００９０】
評価手法として両眼隔壁による基準光下での色票の見えと、ＴＥＳＴ１〜３下での色票の見えを比較し、一対比較で基準光下の色票と『鮮やかさ』が同等と思われる色票を６つの内から１つ選択させた。選択時に２つの色票の間との回答も許容することとした。
【００９１】
検証実験の手順を示す。
【００９２】
基準光照度５００［ｌｘ］ＴＥＳＴ１〜３の照度５００［ｌｘ］とし、観察者は３分間、片眼ずつ基準光用の評価ＢＯＸとＴＥＳＴ１〜３それぞれ用の評価ＢＯＸ内のＮ５の色紙で順応する。その後、基準光用の評価ＢＯＸに赤５Ｒ４／１３、ＴＥＳＴ１〜３それぞれ用の評価ＢＯＸに５Ｒ４／１４・１３・１２・１１・１０・９の色票を配置し、基準光下の色票と「鮮やかさ」が同等となる色票を選択させる。次に黄・緑・青の色相順に同様の評価を実施させ、ＴＥＳＴ１〜３に変更後の順応時間を１分として、同様の評価を繰り返した。
【００９３】
実験の結果は下記となる。
【００９４】
基準光と同等となるＴＥＳＴ１での各色相の色票（５Ｒ４／１３、５Ｙ８／１３、５Ｇ４／９、１０Ｂ４／９）とＴＥＳＴ２、ＴＥＳＴ３で同等の「鮮やかさ」となる選択色票の差分（彩度差分＝ＴＥＳＴ１選択色票彩度−ＴＥＳＴ２またはＴＥＳＴ３選択色票彩度）を４色相で平均値を算出した。
【００９５】
図１４は、検証実験により求めた彩度差分と、各ＴＥＳＴ１〜３との関係を、中年期の観察者、壮年期の観察者毎に示すグラフである。図１５は、検証実験により求めた中年期の観察者における４色相ごとの彩度差分と、各ＴＥＳＴ１〜３との関係を示すグラフである。
【００９６】
図１４に示すように、中年期の観察者は、壮年期の観察者よりもスペクトルによる彩度向上効果が強い傾向を示し、ＴＥＳＴ２とＴＥＳＴ３とではほぼ同等効果であることが分かる。また、図１５に示すように、中年期の観察者は、ＴＥＳＴ１よりもＴＥＳＴ２の照明光下で緑（Ｇ）、赤（Ｒ）の色票の彩度向上効果で有意差が認められる。黄（Ｙ）では有意差は認められないが、ＦＣＩに対して僅かながら向上効果が認められ、青（Ｂ）ではＦＣＩに対して僅かながら減少効果が認められる。
【００９７】
上記結果から、ＴＥＳＴ１とＴＥＳＴ２とでは、赤と緑で見えの改善が確認された。６２００ＫでのＴＥＳＴ１とＴＥＳＴ２とではＦＣＩの差が１５、ＴＥＳＴ２とＴＥＳＴ３とではＦＣＩの差が５であり、両ＦＣＩの中央値１０以上の差があれば、中年期の観察者に対して赤と緑の見えを向上させることが分かる。上記条件は、ＴＥＳＴ１のＦＣＩが９１に対して１０以上となるＦＣＩが１０１以上となる。ＴＥＳＴ１〜３は、第一発光素子５１、７１と第二発光素子５２、７２と第三発光素子５３とを混色し、相関色温度６２００Ｋとしている。これにより、第一発光素子５１、７１と第二発光素子５２、７２のみを組み合わせた相関色温度６５００ＫのＦＣＩに対して、約３程度ＦＣＩが高い。そのため、図９に示された表より、ＦＣＩの数値で９８以上となればよく、第一発光素子５１、７１と第二発光素子５２、７２の個数比は２：１よりも第二発光素子５２、７２の個数比が多ければよいことが分かる。
【００９８】
図１６は、中年期の観察者（４５〜６４歳）および高年期の観察者（６５歳以上）での照明光のＦＣＩ比率と、赤の色票の色の見分けの正答率との関係を示すグラフである。図１６では、破線が中年期の観察者を示し、実線が高年期の観察者を示している。
【００９９】
正答率とは、ＦＣＩの異なる光源の下、一定間隔で並べられた三枚の赤の色票を観察者に対して提示し、三枚の赤の色票中、異なる色票が有る場合はその位置を答えさせ、それが正当していた人の割合を示している。実験では５Ｒ４／１１を基準として、三枚とも同じ色票と、一枚だけ彩度が５Ｒ４／１１．５・１２・１２．５・１３・１３．５、１４となる色票を提示し、三枚とも同じ色票の場合は『同じ』、異なる色票がある場合はその位置『左・真中・右』を答えさせた。図１６のグラフは三枚の赤の色票中、５Ｒ４／１１．５が含まれた場合の正答率を示している。
【０１００】
図１６からも分かるようにＦＣＩ比率は９０よりも大きくなれば、正答率が５０％以上となる。つまり、ＦＣＩ比率が９０以上となる個数比で第一発光素子５１、７１および第二発光素子５２、７２との設置個数が設定されていればよい。このＦＣＩ比率９０以上となる個数比は、図９および図１０から２：１であることが分かる。つまり、第一発光素子５１、７１と第二発光素子５２、７２との個数比は、少なくとも２：１よりも第二発光素子５２、７２の個数割合が同等以上であれば、中年期の観察者以降の色知覚確率をある程度確保することができる。なお、色知覚確率を７５％以上にする場合には、ＦＣＩ比率が９３以上となる個数比を選択すればよい。
【０１０１】
また、観察者の年齢が異なると、ＦＣＩ比率と正答率との関係性も異なることが分かる。例えば、正答率が５０％以上となるＦＣＩ比率は、中年期の観察者であると約８５％以上であるが、高年期の観察者であると約９０％以上である。このように、色知覚確率を一定に保つとしても、年齢によってそのＦＣＩ比率は異なるため、第一発光素子５１、７１と第二発光素子５２、７２との発光比率を調整することで、各年齢に対しても所望の色知覚確率を確保することができる。
【０１０２】
そして、図８に示すように、第一発光素子５１、７１と第二発光素子５２、７２との個数比が２：１よりも第二発光素子５２、７２の個数割合が同等以上であるときには、第二値Ｘ２での相対強度を１とした場合の第三値Ｘ３の相対強度比は、いずれの場合も０．８５以下であることが分かる。すなわち、第一発光素子５１、７１と第二発光素子５２、７２とが発した光の合成光の分光分布は、５００ｎｍ以上５６０ｎｍ以下の範囲の最大値（第二値Ｘ２での相対強度）と、５００ｎｍ以上６５０ｎｍ以下の範囲における最小値（第三値Ｘ３での相対強度）との比が０．８５以下であれば、高齢者の色知覚確率をある程度確保することができる。
【０１０３】
図１７の（ａ）は、第一モードにおける配光特性を示す配光図である。図１７の（ｂ）は、第二モードにおける配光特性を示す配光図である。
【０１０４】
図１７の（ａ）および図１７の（ｂ）に示すように、第二モードを第一モードと比較すると、第二モードでは、第一モードよりも配光曲線の短軸方向の幅が狭まっていることが判る。つまり、第二モードでは、第一モードよりも照明装置１０の直下およびその近傍においては高色温度の光が照射されている。
【０１０５】
また、第二モードの配光曲線の短軸方向に相当する、第一モードでの配光曲線の幅が、第二モードに比べて大きい。このため、第一モードでは、第二モードに比べて広範囲に明るい光を照射することができる。
【０１０６】
［作用効果］
次に、本実施の形態における照明装置１０の作用効果について説明する。
【０１０７】
上述したように、本実施の形態に係る照明装置１０は、同一色度範囲内の色度値を有する複数の第一発光素子５１、７１および複数の第二発光素子５２、７２と、複数の第一発光素子５１、７１および複数の第二発光素子５２、７２を個別に制御可能な制御回路１２とを備える。また、複数の第一発光素子５１、７１および複数の第二発光素子５２、７２は、所定の領域Ｅ内に分散して配置される。さらに、複数の第一発光素子５１、７１は、所定の領域Ｅにおける中央部分Ｅ１よりも周縁部分Ｅ２の方が密に配置される。そして、複数の第二発光素子５２、７２は、所定の領域Ｅにおける周縁部分Ｅ２よりも中央部分Ｅ１の方が密に配置される。
【０１０８】
このように、第一発光素子５１、７１と第二発光素子５２、７２とが発した光の合成光の分光分布において、例えば、５００ｎｍ以上５６０ｎｍ以下の範囲の最大値と、５００ｎｍ以上６５０ｎｍ以下の範囲における最小値との比が０．８５以下であるため、高齢者の色知覚確率を高めることができる。また、分光分布の異なる第一発光素子５１、７１および第二発光素子５２、７２の２種類の発光素子によって、高齢者に対応した照明を行うことができる。このため、高齢者に対して文字や観察対象物の色の彩度が低下して見えるのを抑制することが可能となる。
【０１０９】
複数の第一発光素子５１、７１が所定の領域Ｅにおける中央部分Ｅ１よりも周縁部分Ｅ２の方が密に配置されているため、広範囲に明るい光を照射することができる。また、複数の第二発光素子５２、７２が所定の領域Ｅにおける周縁部分Ｅ２よりも中央部分Ｅ１の方が密に配置されているため、照明装置１０の直下およびその近傍にいる高齢者に高演色性の光を照射することができる。
【０１１０】
したがって、高齢者に対して文字や観察対象物の色の彩度が低下して見えることを抑制するとともに、広範囲に明るい光を照射することができる。
【０１１１】
特に、第一発光素子５１、７１および複数の第二発光素子５２、７２が所定の領域Ｅ内に分散して配置されているため、発光部４０内の発光色の偏りを軽減することができ、照明装置１０の照明光における不快感を軽減することができる。
【０１１２】
また、本実施の形態に係る照明装置１０において、制御回路１２は、複数の第一発光素子５１、７１および複数の第二発光素子５２、７２を個別に制御可能なモード切替部１４を有する。また、制御回路１２は、第一発光素子５１、７１を点灯させる第一モードと、第一発光素子５１、７１および第二発光素子５２、７２を点灯させる第二モードとを選択的に実行させる。さらに、制御回路１２は、第一モードで点灯した場合よりも、第二モードで点灯した場合の方が明るく点灯させる。そして、モード切替部１４は、第一モードと第二モードとを切換える。
【０１１３】
このように、第一発光素子５１、７１を点灯させる第一モードと、第一発光素子５１、７１および第二発光素子５２、７２を点灯させる第二モードとにモード切替部１４が切換え、制御回路１２が第一モードおよび第二モードに選択的に実行させるため、高齢者に対応した照明を行うことができる。このため、高齢者に対して文字や観察対象物の色の彩度が低下して見えるのを抑制することが可能となる。
【０１１４】
また、本実施の形態に係る照明装置１０において、第一発光素子５１、７１と第二発光素子５２、７２とが発した光の合成光の相関色温度は、５５００Ｋ以上７１００Ｋ以下である。
【０１１５】
このように、合成光の相関色温度が５７００Ｋ以上７１００Ｋ以下であるため、高齢者にとって文字と色の彩度が低下して見えることをより確実に抑制することができる。
【０１１６】
また、本実施の形態に係る照明装置１０は、さらに、相関色温度が２６００Ｋ以上５５００Ｋ以下となる複数の第三発光素子５３を備える。
【０１１７】
このように、第一発光素子５１、７１および第二発光素子５２、７２における合成光の相関色温度が５５００Ｋ以上７１００Ｋ以下であり、さらに、相関色温度が２６００Ｋ以上５５００Ｋ以下となる第三発光素子５３を備えるため、照明装置１０の調色範囲が広くなる。これにより、この照明装置１０では、電球色から昼光色までの調色を実現することができる。
【０１１８】
また、本実施の形態に係る照明装置１０において、複数の第三発光素子５３は、所定の領域Ｅ内に分散して配置される。そして、複数の第三発光素子５３は、所定の領域Ｅにおける中央部分Ｅ１よりも周縁部分Ｅ２の方が密に配置されている。
【０１１９】
このように、第三発光素子５３の設置個数が、所定の領域Ｅにおける中央部分Ｅ１よりも周縁部分Ｅ２の方が密になっているため、照明装置１０の直下およびその近傍においては高色温度の光が照射され、これらよりも周囲においては低色温度の光が照射されることになる。したがって、照明装置１０の直下およびその近傍にいる高齢者が周縁の照明で眩しさを感じることを抑えることができる。
【０１２０】
また、本実施の形態に係る照明装置１０は、さらに、複数の第一発光素子５１、７１複数の第二発光素子５２、７２の各々に対向配置されるレンズ５０ｄ、７０ｄを備える。また、複数の第三発光素子５３の各々に対向配置されるレンズ５０ｄを備える。そして、所定の領域Ｅにおける中央部分Ｅ１に配置されているレンズ７０ｄは、所定の領域Ｅにおける周縁部分Ｅ２に配置されているレンズ５０ｄよりも外径が小さい。
【０１２１】
このように、所定の領域Ｅにおける中央部分Ｅ１に配置されているレンズ７０ｄの方が、所定の領域Ｅにおける周縁部分Ｅ２に配置されているレンズ５０ｄよりも外径が小さいため、周縁部分Ｅ２に比べて、第一発光素子５１、７１および第二発光素子５２、７２を中央部分Ｅ１に高密度で配置することができる。このため、中央部分Ｅ１からより明るい光を出射することができる。
【０１２２】
また、本実施の形態に係る照明装置１０において、所定の領域Ｅにおける中央部分Ｅ１に配置されているレンズ７０ｄの拡散率は、所定の領域Ｅにおける周縁部分Ｅ２に配置されているレンズ５０ｄの拡散率よりも小さい。
【０１２３】
このように、中央部分Ｅ１に配置されているレンズ７０ｄの拡散率を、周縁部分Ｅ２に配置されているレンズ５０ｄの拡散率よりも小さくするため、周縁部分Ｅ２に比べて中央部分Ｅ１の方がより強度の強い光を照射することができる。このため、照明装置１０の直下およびその近傍にいる高齢者に高演色性の光を照射することができる。
【０１２４】
また、本実施の形態に係る照明装置１０において、中央部分Ｅ１は環状をなしている。また、周縁部分Ｅ２は、環状をなして、中央部分Ｅ１の外周側に位置している。そして、中央部分Ｅ１の内径から外径までの幅と、周縁部分Ｅ２の内径から外径までの幅との比が１対１から１対２までである。
【０１２５】
このように、内周部分の幅と中央部分Ｅ１の幅との比が１対１から１対２までであれば、照明装置１０における中央部分Ｅ１と周縁部分Ｅ２との効果の違いをより際立たせることができる。
【０１２６】
また、本実施の形態に係る照明装置１０において、制御回路１２は、第二モードにおいて、第一モードの場合よりも所定の領域Ｅにおける周縁部分Ｅ２に配置されている第一発光素子５１、７１の出力を減少させ、所定の領域Ｅにおける中央部分Ｅ１に配置されている第二発光素子５２、７２の出力を増加させる。
【０１２７】
このように、第二モードでは、第一モードよりも周縁部分Ｅ２に配置されている第一発光素子５１、７１の出力を減少させ中央部分Ｅ１に配置されている第二発光素子５２、７２の出力を増加させるため、第一モードよりも照明装置１０の直下およびその近傍においては高色温度の光を照射することができる。このため、照明装置１０の直下およびその近傍にいる高齢者に対して文字や観察対象物の色の彩度が低下して見えることを抑制することができる。
【０１２８】
（その他の実施の形態）
以上、実施の形態に係る照明装置について説明したが、本発明は、上記実施の形態に限定されるものではない。
【０１２９】
例えば、上記実施の形態では、制御回路が年齢又は年代ごとに適切な第一発光素子と第二発光素子との発光量を実現するために、各年齢又は年代に対応した発光量を実現する第一発光素子と第二発光素子とのそれぞれの電流値を予め記憶していてもよい。例えば、制御回路は、他方の外部信号が入力されると、当該外部信号から年齢を取得し、その年齢又は年代に対応する第一発光素子の電流値と、第二発光素子の電流値とを読み出す。そして、制御回路は、読み出した電流値を基に定電力出力回路を制御することで、入力された年齢又は年代に対応する発光量で第一発光素子と、第二発光素子とを発光させる。これにより、年齢又は年代に対応した発光量で第一発光素子と第二発光素子とを発光させることができるため、如何なる年齢又は年代でも一定の色知覚確率を確保することができる。
【０１３０】
また、上記実施の形態では、照明装置の形態に関してもシーリングライトに限らず、例えば一体型ベースライトでもよい。この場合、所定の領域の中央部分には第二発光素子の個数を密にし、所定の領域の周縁部分に第一発光素子および第三発光素子の個数を密にすることで、照明装置直下およびその近傍の領域における色知覚確率を確保することができる。
【０１３１】
以上、本発明の一つまたは複数の態様について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【符号の説明】
【０１３２】
１０  照明装置
１２  制御回路
１３  設定部
１４  モード切替部
５０ｄ、７０ｄ  レンズ
５１、７１  第一発光素子
５２、７２  第二発光素子
５３  第三発光素子
【図１】
2018120769.tif 000003
【図２】
2018120769.tif 000004
【図３】
2018120769.tif 000005
【図４】
2018120769.tif 000006
【図５】
2018120769.tif 000007
【図６】
2018120769.tif 000008
【図７】
2018120769.tif 000009
【図８】
2018120769.tif 000010
【図９】
2018120769.tif 000011
【図１０】
2018120769.tif 000012
【図１１】
2018120769.tif 000013
【図１２】
2018120769.tif 000014
【図１３】
2018120769.tif 000015
【図１４】
2018120769.tif 000016
【図１５】
2018120769.tif 000017
【図１６】
2018120769.tif 000018
【図１７】
2018120769.tif 000019